(57)【要約】      （修正有）【課題】  構造を複雑化することなく電子内視鏡の使用時間を計測することが可能で且つ広く適用できる装置を提供する。【解決手段】  電子内視鏡１０は、撮像により得られた画像信号について信号処理を行い、垂直同期信号を出力する映像信号処理ＩＣ１３と、垂直同期信号が出力される回数に基づいて使用時間を計測する第１ＣＰＵ１５とを備える。第１ＣＰＵ１５は、垂直同期信号の出力回数に対応する第１、第２カウンタを一時記憶し、垂直同期信号が出力される度に第１カウンタの値を１だけ加算し、第１カウンタの値が第１パラメータ以上になる度に第１カウンタを０にし第２カウンタの値を１だけ加算し、第２カウンタの値が第２パラメータ以上になる度に第２カウンタを０にし使用時間を１だけ加算して、使用時間を計測する。第１パラメータの値は、垂直同期信号が出力される間隔に相当する垂直同期周波数に対応して設定される。【選択図】        図２
2006141670.tif 000002
【特許請求の範囲】
【請求項１】
撮像により得られた画像信号について信号処理を行い、垂直同期信号を出力する映像信号処理部と、
前記垂直同期信号が出力される回数に基づいて使用時間を計測する制御部とを備える電子内視鏡または内視鏡装置。
【請求項２】
前記制御部は、前記垂直同期信号の出力回数に対応する第１、第２カウンタを一時記憶し、前記垂直同期信号が出力される度に前記第１カウンタの値を第１の一定値だけ加算し、前記第１カウンタの値が第１パラメータ以上になる度に前記第１カウンタを第１初期値にし前記第２カウンタの値を第２の一定値だけ加算し、前記第２カウンタの値が第２パラメータ以上になる度に前記第２カウンタを第２初期値にし前記使用時間を第３の一定値だけ加算して、前記使用時間を計測することを特徴とする請求項１に記載の電子内視鏡または内視鏡装置。
【請求項３】
前記第１パラメータの値は、前記垂直同期信号が出力される間隔に相当する垂直同期周波数に対応して設定されることを特徴とする請求項２に記載の電子内視鏡または内視鏡装置。
【請求項４】
前記第１〜第３の一定値はいずれも１で、前記第１、第２初期値はいずれも０であることを特徴とする請求項２に記載の電子内視鏡または内視鏡装置。
【請求項５】
前記内視鏡装置は、ビデオプロセッサを備え、
前記ビデオプロセッサは、前記制御部と、前記使用時間を記録するメモリを有し、前記制御部は、装着される前記電子内視鏡ごとに分けて前記使用時間の値を前記メモリに記録することを特徴とする請求項１に記載の内視鏡装置。
【請求項６】
前記メモリは、不揮発性メモリであることを特徴とする請求項５に記載の電子内視鏡または内視鏡装置。
【請求項７】
前記使用時間は、前記電子内視鏡が前記ビデオプロセッサに取り付けられ且つ前記電子内視鏡の電源がオン状態にされた使用状態の累積時間であることを特徴とする請求項５に記載の電子内視鏡または内視鏡装置。
【請求項８】
前記内視鏡装置は、電子内視鏡を備え、前記電子内視鏡が前記制御部を有することを特徴とする請求項１に記載の内視鏡装置。
【発明の詳細な説明】
【技術分野】
【０００１】
本発明は、電子内視鏡及び内視鏡装置に関し、特に電子内視鏡の使用時間を計測する装置に関する。
【背景技術】
【０００２】
従来、電子内視鏡の使用時間を計測する装置が提案されている。電子内視鏡の使用時間を知ることにより、点検や整備の必要性を客観的に知ることが可能になる。
【０００３】
特許文献１は、電子内視鏡の使用時間を計測する装置を開示する。
【特許文献１】特開平７−１７１０８９号公報
【発明の開示】
【発明が解決しようとする課題】
【０００４】
しかし、特許文献１の装置は、従来の電子内視鏡の構成に、電子内視鏡の使用時間を計測するための部材としてインターバルタイマーなどのタイマー素子またはクロックなどを付加するので、コストアップや構造の複雑化の要因となる。
【０００５】
したがって本発明の目的は、構造を複雑化することなく電子内視鏡の使用時間を計測することが可能な装置を提供することである。
【課題を解決するための手段】
【０００６】
本発明に係る電子内視鏡または内視鏡装置は、撮像により得られた画像信号について信号処理を行い、垂直同期信号を出力する映像信号処理部と、垂直同期信号が出力される回数に基づいて使用時間を計測する制御部とを備える。
【０００７】
好ましくは、制御部は、垂直同期信号の出力回数に対応する第１、第２カウンタを一時記憶し、垂直同期信号が出力される度に第１カウンタの値を第１の一定値だけ加算し、第１カウンタの値が第１パラメータ以上になる度に第１カウンタを第１初期値にし第２カウンタの値を第２の一定値だけ加算し、第２カウンタの値が第２パラメータ以上になる度に前記第２カウンタを第２初期値にし使用時間を第３の一定値だけ加算して、使用時間を計測する。
【０００８】
さらに好ましくは、第１パラメータの値は、垂直同期信号が出力される間隔に相当する垂直同期周波数に対応して設定される。
【０００９】
また、さらに好ましくは、第１〜第３の一定値はいずれも１で、第１、第２初期値はいずれも０である。
【００１０】
また、好ましくは、内視鏡装置は、ビデオプロセッサを備え、ビデオプロセッサは、制御部と、使用時間を記録するメモリを有し、制御部は、装着される電子内視鏡ごとに分けて使用時間の値をメモリに記録する。
さらに好ましくは、メモリは、不揮発性メモリである。
【００１１】
また、さらに好ましくは、使用時間は、電子内視鏡がビデオプロセッサに取り付けられ且つ電子内視鏡の電源がオン状態にされた使用状態の累積時間である。
【００１２】
また、好ましくは、内視鏡装置に備えられた電子内視鏡が制御部を有する。
【発明の効果】
【００１３】
以上のように本発明によれば、構造を複雑化することなく電子内視鏡の使用時間を計測することが可能な装置を提供することができる。また、時間計測に利用する垂直同期信号は、電子内視鏡であれば必ず発生する信号なので、本発明は広くどの電子内視鏡にも適用することができる。
【発明を実施するための最良の形態】
【００１４】
以下、第１の実施形態について、図を用いて説明する。第１の実施形態にかかる内視鏡装置１は、電子内視鏡１０、接続部２０、ビデオプロセッサ３０、キーボード５０、及びＴＶモニタ７０を備える電子内視鏡装置である（図１参照）。
【００１５】
電子内視鏡１０は、先端部に対物光学系（不図示）と撮像素子１１などを内蔵し、被写体である体内などを撮像する。
【００１６】
電子内視鏡１０は、ＣＣＤなどの撮像素子１１、ＡＧＣ（オートゲインコントローラ）１２、映像信号処理ＩＣ１３、第１ＣＰＵ１５、第１メモリ１６、及びスイッチ１９を有する（図２参照）。電子内視鏡１０は、接続部２０を介してビデオプロセッサ３０と接続される。
【００１７】
撮像素子１１において撮像により得られた信号は、ＡＧＣ１２を介して映像信号処理ＩＣ１３に入力され、各種の信号処理が行われる。信号処理された映像信号は、ビデオプロセッサ３０に出力される。映像信号処理ＩＣ１３は、第１ＣＰＵ１５によって制御される。映像信号処理ＩＣ１３と第１ＣＰＵ１５は、データの送受信のために、シリアル通信接続される。映像信号処理ＩＣ１３は、垂直同期信号Ｖｓｙｎｃを第１ＣＰＵ１５の割り込み端子（不図示）に出力する。映像信号処理ＩＣ１３は、撮像素子１１を駆動するＣＣＤ駆動信号を出力する。
【００１８】
第１ＣＰＵ１５は、ワンチップマイクロコンピュータであり、図示しないＲＯＭ（リードオンリーメモリ）、ＲＡＭ（ランダムアクセスメモリ）、ＳＣＩ（シリアルコミュニケーションインターフェース）、Ｉ／Ｏポート（インプット／アウトプットポート）を有する。第１ＣＰＵ１５は、電子内視鏡１０の各部を制御し、ビデオプロセッサ３０の第２ＣＰＵ３１とシリアル通信する。
【００１９】
第１ＣＰＵ１５は、映像信号処理ＩＣ１３から出力される垂直同期信号Ｖｓｙｎｃの回数に基づいて使用時間を計測する。使用時間は、電子内視鏡１０がビデオプロセッサ３０に取り付けられ且つ電子内視鏡１０の電源がオン状態にされた使用状態の累積時間である。垂直同期信号Ｖｓｙｎｃは、電子内視鏡１０の映像信号方式がＮＴＳＣの場合、１／６０秒ごとに一回出力され（垂直同期周波数が６０Ｈｚ）、映像信号方式がＰＡＬの場合、１／５０秒ごとに一回出力される（垂直同期周波数が５０Ｈｚ）。
【００２０】
第１メモリ１６は、電子内視鏡１０の各部の設定値を記憶しておくための不揮発性メモリ（ＥＥＰＲＯＭ等）で、第１ＣＰＵ１５と接続される。第１メモリ１６は、電子内視鏡１０の使用時間（使用時間記録値）を記憶する。電子内視鏡１０の使用時間記録値は、記憶時間変数ｔに対応して変化する。
【００２１】
第１ＣＰＵ１５のＲＡＭは、電子内視鏡１０の使用時間を計測するための記憶時間変数ｔ、及び第１、第２カウンタｖｃ１、ｖｃ２の各値を一時記憶する。第１、第２カウンタｖｃ１、ｖｃ２は、記憶時間変数ｔを計測するための変数である。
【００２２】
従って、第１の実施形態では、電子内視鏡１０における映像信号処理のために使用される回路素子である映像信号処理ＩＣ１３から出力される垂直同期信号を使って、電子内視鏡１０の使用時間を計測することが可能になる。これにより、使用時間を計測するために別途タイマー素子などを必要としないので、その分安価に且つ簡易に電子内視鏡を構成することが可能になる。
【００２３】
第１カウンタｖｃ１の値は、第１初期値以上第１パラメータＰ１以下の整数で、垂直同期信号Ｖｓｙｎｃが出力される度に第１の一定値だけ加算される。第１カウンタｖｃ１の値が第１パラメータＰ１以上になった時、第１カウンタｖｃ１の値は第１初期値にされ、第２カウンタｖｃ２の値は第２の一定値だけ加算される。第２カウンタｖｃ２の値は、第２初期値以上第２パラメータＰ２以下の整数である。第２カウンタｖｃ２の値が第２パラメータＰ２以上になった時、第２カウンタｖｃ２の値は第２初期値にされ、電子内視鏡１０の使用時間に相当する記憶時間変数ｔの値が第３の一定値だけ加算される。
【００２４】
第１の実施形態において、第１〜第３の一定値は、いずれも１であり、第１、第２初期値はいずれも０である。
【００２５】
第１パラメータＰ１の値は、映像信号方式に対応して設定される。第１の実施形態においては、映像信号方式がＮＴＳＣの場合は、第１パラメータＰ１の値は６０に、ＰＡＬの場合は、５０に設定される。第１の実施形態においては、第２パラメータＰ２の値は３６０に設定される。
【００２６】
従って、映像信号方式がＮＴＳＣの場合、第１カウンタｖｃ１の値が６０以上になった時に０にされ、第２カウンタｖｃ２の値が１だけ増やされる。映像信号方式がＰＡＬの場合、第１カウンタｖｃ１の値が５０以上になった時に０にされ、第２カウンタｖｃ２の値が１だけ増やされる。すなわち第２カウンタｖｃ２の値は、１秒ごとに１だけ増える。第２カウンタｖｃ２の値が３６０以上になった場合は、第２カウンタｖｃ２の値は０にされ、電子内視鏡１０の記憶時間変数ｔの値が１だけ増やされる。記憶時間変数ｔの値は０以上の整数で、６分ごとに１だけ増える。従って、実際の使用時間は、６×ｔ分で表される。
【００２７】
スイッチ１９は、電子内視鏡１０の映像信号方式をＮＴＳＣまたはＰＡＬに切り換えるためのディップスイッチで、第１ＣＰＵ１５と接続される。スイッチ１９の接続状況に対応して、映像信号方式判別変数ｖｎｐの値が０または１に設定される。映像信号方式判別変数ｖｎｐの値は、第１ＣＰＵ１５のＲＡＭに一時記憶される。
【００２８】
ビデオプロセッサ３０は、第２ＣＰＵ３１、第２メモリ３２、ＲＴＣ（リアルタイムクロック）３３、絞り制御回路３５、光源３６、絞り３７、信号処理回路４１、ＣＲＴＣ（ＣＲＴコントローラ）４２、及びパネルスイッチ群４３を有する（図３参照）。
【００２９】
ビデオプロセッサ３０は、電子内視鏡１０で撮像された被写体の画像信号を、ＴＶモニタ７０で観察可能な映像信号に変換する。また、ビデオプロセッサ３０は、電子内視鏡１０の先端部を介して被写体を照明する。光源３６からの光は、ライトガイド１８を介して先端部から被写体に照射される。
【００３０】
第２ＣＰＵ３１は、ワンチップマイクロコンピュータであり、図示しないＲＯＭ（リードオンリーメモリ）、ＲＡＭ（ランダムアクセスメモリ）、ＳＣＩ（シリアルコミュニケーションインターフェース）、Ｉ／Ｏポート（インプット／アウトプットポート）を有する。第２ＣＰＵ３１は、ビデオプロセッサの各部を制御し、電子内視鏡１０の第１ＣＰＵ１５とシリアル通信する。
【００３１】
信号処理回路４１は、電子内視鏡１０の映像信号処理ＩＣ１３から出力される画像信号を、ＴＶモニタ７０に表示する信号に変換する。信号処理回路４１は、画像信号のうち輝度信号を第２ＣＰＵ３１に出力する。第２ＣＰＵ３１は、輝度信号に基づいて、絞り制御回路３５を制御し、絞り３７の絞り具合を変え、光源３６からライトガイド１８を介して被写体に照射される光量を調整する。（自動調光処理）。
【００３２】
電子内視鏡１０の映像信号処理ＩＣ１３から出力される垂直同期信号Ｖｓｙｎｃは、信号処理回路４１を介して第２ＣＰＵ３１に入力される。
【００３３】
第２ＣＰＵ３１は、キーボード５０のキー、及びパネルスイッチ群４３のスイッチが操作された時に、それに対応する処理を行う。
【００３４】
第２ＣＰＵ３１は、ＲＴＣ３３から日時を読み出し、ＣＲＴＣ４２を介してＴＶモニタ７０に表示する。第２ＣＰＵ３１は、患者名、年齢、性別、医師名などの各種文字情報を、ＣＲＴＣ４２を介してＴＶモニタ７０に表示する。
【００３５】
第２メモリ３２は、ビデオプロセッサ３０の各部の設定値を記憶しておくための不揮発性メモリ（ＥＥＰＲＯＭ等）で、第２ＣＰＵ３１と接続される。
【００３６】
図４のフローチャートを用いて、第１の実施形態における第１ＣＰＵ１５による割り込み処理として実行される使用時間記憶処理の手順を説明する。割り込み処理は、第１ＣＰＵ１５による初期設定処理がなされた後に開始される。割り込み処理は、映像信号処理ＩＣ１３からの垂直同期信号Ｖｓｙｎｃの出力に対応して、１フィールド毎に一回（映像信号方式がＮＴＳＣの場合は１／６０秒に一回、ＰＡＬの場合は１／５０秒に一回）実行される。
【００３７】
また、最初の割り込み処理の前に行われる第１ＣＰＵ１５による初期設定処理において、第１、第２カウンタｖｃ１、ｖｃ２の値が０にされ、スイッチ１９の状態に応じて映像信号方式判別変数ｖｎｐの値が設定される。スイッチ１９が、映像信号方式についてＮＴＳＣを選択する状態の場合は、映像信号方式判別変数ｖｎｐの値は０に設定され、映像信号方式についてＰＡＬを選択する状態の場合は、映像信号方式判別変数ｖｎｐの値は１に設定される。
【００３８】
ステップＳ１１で、割り込み処理が開始されると、ステップＳ１２で、第１カウンタｖｃ１の値が１だけ加算される。ステップＳ１３で、電子内視鏡１０の映像信号方式がＮＴＳＣ、ＰＡＬのいずれに設定されているかが判断される。具体的には、映像信号方式判別変数ｖｎｐの値を調べることによって判断される。
【００３９】
ｖｎｐ＝０である場合、すなわち映像信号方式がＮＴＳＣである場合は、ステップＳ１４で、第１カウンタｖｃ１の値が６０以上であるか否かが判断される。第１カウンタｖｃ１の値が６０以上である場合は、ステップＳ１５で、使用時間記憶メイン処理が行われ、ステップＳ１８で、割り込み処理が終了する。使用時間記憶メイン処理の詳細手順については、図５のフローチャートで説明する。第１カウンタｖｃ１の値が６０以上でない場合は、ステップＳ１８で割り込み処理が終了する。
【００４０】
ｖｎｐ＝１である場合、すなわち映像信号方式がＰＡＬである場合は、ステップＳ１６で、第１カウンタｖｃ１の値が５０以上であるか否かが判断される。第１カウンタｖｃ１の値が５０以上である場合は、ステップＳ１７で、使用時間記憶メイン処理が行われ、ステップＳ１８で、割り込み処理が終了する。第１カウンタｖｃ１の値が５０以上でない場合は、ステップＳ１８で割り込み処理が終了する。
【００４１】
次に、図５のフローチャートを用いて、使用時間記憶メイン処理の詳細を説明する。ステップＳ３１で、図４のステップＳ１５、Ｓ１７の手順に進められると、ステップＳ３２で、第１カウンタｖｃ１の値が０にされ、第２カウンタｖｃ２の値が１だけ加算される。
【００４２】
ステップＳ３３で、第２カウンタｖｃ２の値が３６０以上か否かが判断される。第２カウンタｖｃ２の値が３６０以上の場合は、ステップＳ３４で、第２カウンタｖｃ２の値が０にされる。ステップＳ３５で、記憶時間変数ｔの値を第１メモリ１６から読み出しした使用時間記録値に設定し、記憶時間変数ｔの値を１だけ加算し、加算した記憶時間変数ｔの値を使用時間記録値として第１メモリ１６に記憶し、ステップＳ３６で使用時間記憶メイン処理が終了する。第２カウンタｖｃ２の値が３６０以上でない場合は、ステップＳ３６で使用時間記憶メイン処理が終了する。
【００４３】
なお、第１メモリ１６からの使用時間記録値の読み出しは、第１ＣＰＵ１５の初期設定処理において一度実行して記憶時間変数ｔの値に設定しておいた場合は、ステップＳ３５の処理において毎回行う必要がない。また、第１の実施形態においては、使用時間計測記憶処理は、電子内視鏡１０内で完結している処理である。
【００４４】
次に、第２の実施形態について説明する。内視鏡装置１の構成は、第１の実施形態と同様である。但し、第１の実施形態においては、使用時間記憶処理は、第１ＣＰＵ１５が行い、使用時間記録値は第１メモリ１６が記憶するが、第２の実施形態においては、内視鏡接続確認処理、及び使用時間記憶処理は、第２ＣＰＵ３１が行い、使用時間記録値は第２メモリ３２が記憶する点が異なる。
【００４５】
第１の実施形態においては、第１、第２カウンタｖｃ１、ｖｃ２、時間記憶変数ｔ及び映像信号方式判別変数ｖｎｐは、第１ＣＰＵ１５のＲＡＭに一時記憶されるが、第２の実施形態においては、第２ＣＰＵ３１のＲＡＭに一時記憶される。
【００４６】
第２メモリ３２は、接続された電子内視鏡１０それぞれの使用時間記録値、シリアルナンバー、及び内視鏡名を記憶する。電子内視鏡ごとに、第２メモリ３２の異なる番地（記憶領域）に使用時間記録値などが書き込みされる。ビデオプロセッサ３０に装着される電子内視鏡の使用時間記録値などを、第２メモリ３２に書き込む番地は、変数ｖａで表される。電子内視鏡１０のシリアルナンバー、及び内視鏡名は、第２ＣＰＵ３１によって、第１メモリ１６から読み出される。シリアルナンバー及び内視鏡名に対応して、変数ｖａの値が設定される。ビデオプロセッサ３０に過去に装着された電子内視鏡１０の使用時間は、第２メモリ３２の変数ｖａの値に対応する番地（記憶領域）に記憶される。番地を示す変数ｖａは、第２ＣＰＵ３１のＲＡＭに一時記憶される。
【００４７】
図６、図７のフローチャートを用いて、第２の実施形態における使用時間記憶処理の手順を説明する。ステップＳ５１で、第２ＣＰＵ３１のメインプログラムの処理が開始されると、ステップＳ５２で、第２ＣＰＵ３１による初期設定処理が行われる。初期設定処理は、第２ＣＰＵ３１の各レジスタの設定、周辺ＩＣの各レジスタの設定、さらに各種変数の設定などが行われる。映像信号方式判別変数ｖｎｐの値は、内視鏡装置の映像信号方式の設定状態に合わせて設定される。
【００４８】
ステップＳ５３で、第２ＣＰＵ３１による内視鏡接続確認処理が行われる。具体的には、電子内視鏡１０が接続部２０を介して、ビデオプロセッサ３０に接続されたか、または取り外しされたかを調べる。内視鏡接続確認処理の詳細については、図７のフローチャートで後述する。
【００４９】
ステップＳ５４で、電子内視鏡１０との通信処理が行われる。具体的には、電子内視鏡１０と、ビデオプロセッサ３０との間でコマンドのやりとりが行われる。ステップＳ５５で、キーボード５０のキー入力に対応した処理が行われる。ステップＳ５６で、パネルスイッチ群４３のスイッチ入力に対応した処理が行われる。例えば、光源３６のランプの点灯や、ＴＶモニタ７０に表示された画像の明るさ（参照値）の変更等の処理である。
【００５０】
ステップＳ５７で、時刻表示などのその他の処理が行われる。ステップＳ５３〜Ｓ５７の処理は繰り返し行われる。
【００５１】
図６のステップＳ５３における内視鏡接続確認処理の詳細を説明する（図７参照）。ステップＳ７１で、ビデオプロセッサ３０に、新たに電子内視鏡１０が接続されたか否かが判断される。新たに電子内視鏡１０が接続された場合には、ステップＳ７２で、電子内視鏡１０からシリアルナンバーや内視鏡名などのデータが読み出しされる。
【００５２】
ステップＳ７３で、読み出しされたシリアルナンバーから、その電子内視鏡１０の使用時間記録値が記憶されている番地がアドレス変数ｖａに設定される。ステップＳ７４で、第１、第２カウンタｖｃ１、ｖｃ２の値が０に設定される。
【００５３】
ステップＳ７５で、第２ＣＰＵ３１による割り込み処理が可能な状態にされ、内視鏡接続確認処理が終了する。ステップＳ７２〜Ｓ７５の処理は、新たに電子内視鏡１０が接続されたと判断された場合に一回だけ行われる。
【００５４】
第２ＣＰＵ３１による割り込み処理は、図４、図５で説明した第１ＣＰＵ１５による割り込み処理と同様の処理が行われる。第２の実施形態では、図５のステップＳ３５で、記憶時間変数ｔの値をアドレス変数ｖａの値に対応した第２メモリ３２の番地から読み出しした使用時間記録値に設定し、記憶時間変数ｔの値を１だけ加算し、加算した記憶時間変数ｔの値を使用時間記録値としてアドレス変数ｖａの値に対応した第２メモリ３２の番地に記憶し、ステップＳ３６で使用時間記憶メイン処理が終了する。その他のステップについては、第１の実施形態で説明した内容と同様である。なお、アドレス変数ｖａの値に対応した第２メモリ３２の番地からの読み出しは、ステップＳ７３のアドレス変数ｖａの設定後に、一度実行して記憶時間変数ｔの値に設定しておけば、ステップＳ３５の処理において毎回行う必要はない。
【００５５】
ステップＳ７１の判断で、電子内視鏡１０が新たに接続されていないと判断された場合は、ステップＳ７６で、電子内視鏡１０がビデオプロセッサ３０から取り外しされたか否かが判断される。
【００５６】
電子内視鏡１０がビデオプロセッサ３０から取り外された場合は、ステップＳ７７で、第２ＣＰＵ３１による割り込み処理が禁止の状態にされ、内視鏡接続確認処理が終了する。電子内視鏡１０がビデオプロセッサ３０から取り外しされていない場合は、内視鏡接続確認処理が終了する。即ち、電子内視鏡１０が新たに接続もされず、取り外されもしない場合は、図７の内視鏡接続確認処理では、実質的に何も行われずに終了される。
【００５７】
第２の実施形態では、ビデオプロセッサ３０における映像信号処理のために使用される信号処理回路４１から出力される垂直同期信号を使って、電子内視鏡１０の使用時間を計測することが可能になる。これにより、使用時間を計測するために別途タイマー素子などを必要としないので、その分安価に且つ簡易にビデオプロセッサ３０を構成することが可能になる。
【００５８】
また、第２の実施形態では、ビデオプロセッサ３０に接続される電子内視鏡１０ごとに使用時間（使用時間記録値）を記憶することができ、電子内視鏡１０ごとの使用時間を知ることが可能になる。
【図面の簡単な説明】
【００５９】
【図１】内視鏡装置の構成図である。
【図２】電子内視鏡の回路ブロック図である。
【図３】ビデオプロセッサの回路ブロック図である。
【図４】第１の実施形態における使用時間記憶処理を示すフローチャートである。
【図５】第１の実施形態における使用時間記憶メイン処理を示すフローチャートである。
【図６】第２の実施形態における第２ＣＰＵのメインプログラムの内容を示すフローチャートである。
【図７】第２の実施形態における内視鏡接続確認処理の詳細を示すフローチャートである。
【符号の説明】
【００６０】
１  内視鏡装置
１０  電子内視鏡
１１  撮像素子
１２  ＡＧＣ（オートゲインコントローラ）
１３  映像信号処理ＩＣ
１５  第１ＣＰＵ
１６  第１メモリ
１８  ライトガイド
１９  スイッチ
２０  接続部
３０  ビデオプロセッサ
３１  第２ＣＰＵ
３２  第２メモリ
３３  ＲＴＣ
３５  絞り制御回路
３６  光源
３７  絞り
４１  信号処理回路
４２  ＣＲＴＣ
４３  パネルスイッチ群
５０  キーボード
７０  ＴＶモニタ
ｔ  記憶時間変数
ｖａ  アドレス変数
ｖｃ１、ｖｃ２  第１、第２カウンタ
【図１】
2006141670.tif 000003
【図２】
2006141670.tif 000004
【図３】
2006141670.tif 000005
【図４】
2006141670.tif 000006
【図５】
2006141670.tif 000007
【図６】
2006141670.tif 000008
【図７】
2006141670.tif 000009